(57)【要約】【課題】ベンドステージに搬出されたカップを良好に取り出させること。【解決手段】所定の硬貨が投入され、かつ操作ボタン１２ａが操作された場合に、内部に収納するカップをベンドステージ４０に搬出し、取出口１２ｃを通じて該カップを取り出し可能にさせて該カップを販売するカップ販売装置であって、ベンドステージ４０は、取出口１２ｃから離隔するに連れて漸次下方に傾斜し、かつカップを載置させる底面部４１と、底面部４１に立設され、かつ底面部４１に載置されたカップを起立姿勢にて支持する支持壁部４２とを備えている。【選択図】図６
2018018387.tif 000002
【特許請求の範囲】
【請求項１】
所定の金銭が投入され、かつ操作入力部が操作された場合に、内部に収納するカップをベンドステージに搬出し、取出口を通じて該カップを取り出し可能にさせて該カップを販売するカップ販売装置であって、
前記ベンドステージは、
前記取出口から離隔するに連れて漸次下方に傾斜し、かつ前記カップを載置させる底面部と、
前記底面部に立設され、かつ該底面部に載置された前記カップを起立姿勢にて支持する支持壁部と
を備えたことを特徴とするカップ販売装置。
【請求項２】
前記取出口は、装置本体の前面開口を開閉する前面扉に設けられており、
前記支持壁部は、
前記底面部の後方部分に立設された後壁部と、
前記後壁部の左端部に連続し、かつ前記底面部の左側部分に立設された左壁部と、
前記後壁部の右端部に連続し、かつ前記底面部の右側部分に立設された右壁部と
を備えたことを特徴とする請求項１に記載のカップ販売装置。
【発明の詳細な説明】
【技術分野】
【０００１】
本発明は、カップ販売装置に関し、より詳細には、所定の金銭が投入され、かつ操作入力部が操作された場合に、カップをベンドステージに搬出し、取出口を通じて該カップを起立姿勢で取り出し可能にさせるカップ販売装置に関するものである。
【背景技術】
【０００２】
従来、所定の金銭が投入され、かつ操作入力部が操作された場合に、カップをベンドステージに搬出する装置として、カップ式飲料自動販売機が知られている。
【０００３】
かかるカップ式飲料自動販売機は、ベンドステージに搬出されたカップに、内部で調理した飲料を投入することで飲料を販売するものである（例えば、特許文献１参照）。
【先行技術文献】
【特許文献】
【０００４】
【特許文献１】特開平７−６５２２８号公報
【発明の概要】
【発明が解決しようとする課題】
【０００５】
上述したカップ式飲料自動販売機では、ベンドステージに搬出されたカップに飲料を投入するので、該カップを保持する保持部材が設けられている。
【０００６】
ところで、近年、所定の金銭が投入され、かつ操作入力部が操作された場合に、カップをベンドステージに搬出し、取出口を通じて該カップを起立姿勢で取り出し可能にさせるカップのみを販売するカップ販売装置が知られている。
【０００７】
このようなカップ販売装置においては、ベンドステージに搬出されたカップをカップ式飲料自動販売機で用いられる保持部材で保持するようにすると、該カップを取り出し難くなる虞れがあり、好ましくない。
【０００８】
本発明は、上記実情に鑑みて、ベンドステージに搬出されたカップを良好に取り出させることができるカップ販売装置を提供することを目的とする。
【課題を解決するための手段】
【０００９】
上記目的を達成するために、本発明に係るカップ販売装置は、所定の金銭が投入され、かつ操作入力部が操作された場合に、内部に収納するカップをベンドステージに搬出し、取出口を通じて該カップを取り出し可能にさせて該カップを販売するカップ販売装置であって、前記ベンドステージは、前記取出口から離隔するに連れて漸次下方に傾斜し、かつ前記カップを載置させる底面部と、前記底面部に立設され、かつ該底面部に載置された前記カップを起立姿勢にて支持する支持壁部とを備えたことを特徴とする。
【００１０】
また本発明は、上記カップ販売装置において、前記取出口は、装置本体の前面開口を開閉する前面扉に設けられており、前記支持壁部は、前記底面部の後方部分に立設された後壁部と、前記後壁部の左端部に連続し、かつ前記底面部の左側部分に立設された左壁部と、前記後壁部の右端部に連続し、かつ前記底面部の右側部分に立設された右壁部とを備えたことを特徴とする。
【発明の効果】
【００１１】
本発明によれば、ベンドステージの底面部が、取出口から離隔するに連れて漸次下方に傾斜しており、底面部に立設され支持壁部が底面部に載置されたカップを起立姿勢にて支持するので、カップは、上面開口が取出口から離隔する方向に傾斜した起立姿勢に維持される。これにより、取出口より挿入された手指にてカップの側面を把持することができ、利用者は、該カップを容易に取り出すことができる。従って、ベンドステージに搬出されたカップを良好に取り出させることができるという効果を奏する。
【図面の簡単な説明】
【００１２】
【図１】図１は、本発明の実施の形態であるカップ販売装置の斜視図である。
【図２】図２は、本発明の実施の形態であるカップ販売装置の斜視図である。
【図３】図３は、図１及び図２に示した装置本体の内部構造を示す斜視図である。
【図４】図４は、図１及び図２に示した装置本体の内部構造を示す斜視図である。
【図５】図５は、図３及び図４に示したカップ機構部が補充位置までスライドした状態を示す斜視図である。
【図６】図６は、図３に示したベンドステージを示す斜視図である。
【図７】図７は、図３に示したベンドステージを示す平面図である。
【発明を実施するための形態】
【００１３】
以下に添付図面を参照して、本発明に係るカップ販売装置の好適な実施の形態について詳細に説明する。
【００１４】
図１及び図２は、それぞれ本発明の実施の形態であるカップ販売装置の斜視図である。ここで例示するカップ販売装置は、装置本体１０、前面閉塞部１１、前面扉１２及び後面扉１３を備えている。
【００１５】
装置本体１０は、図３及び図４に示すように、前面及び後面が開放されることで前面開口１０ａ及び後面開口１０ｂが形成された直方状の形態を成す筐体である。この装置本体１０の内部構造については後述する。
【００１６】
前面閉塞部１１は、装置本体１０の前面開口１０ａのうち右側部分を閉塞する部分である。この前面閉塞部１１には、硬貨投入口１１ａ、返却レバー１１ｂ及び硬貨返却口１１ｃが形成されている。
【００１７】
前面扉１２は、装置本体１０の前面開口１０ａのうち前面閉塞部１１により閉塞されていない部分を開放若しくは閉塞させる扉体である。この前面扉１２は、左端部が装置本体１０の左前端部にヒンジ機構を介して軸支されており、前後方向に沿って揺動可能なものである。この前面扉１２には、操作ボタン１２ａ、表示部１２ｂ及び取出口１２ｃが設けられている。
【００１８】
操作ボタン１２ａは、利用者が押下操作を行う操作入力部である。表示部１２ｂは、利用者に対して所定の情報を表示する部分である。取出口１２ｃは、取出扉１２ｄにより開閉される開口である。
【００１９】
後面扉１３は、装置本体１０の後面開口１０ｂを開放若しくは閉塞させる扉体である。この後面扉１３は、右端部が装置本体１０の右後端部にヒンジ機構を介して軸支されており、前後方向に沿って揺動可能なものである。この後面扉１３は、当該カップ販売装置が設置される店舗等の管理者等により揺動されるものであり、所定のキーが図示せぬ鍵孔に挿入された場合に揺動可能なものである。
【００２０】
上記装置本体１０の内部には、硬貨処理装置２０、カップ機構部３０及びベンドステージ４０が設けられている。
【００２１】
硬貨処理装置２０は、いわゆるコインメックと称されるものであり、装置本体１０の右側壁部に取り付けられている。この硬貨処理装置２０は、硬貨投入口１１ａより投入された硬貨の真偽を判別し、真と判別した硬貨をその種類毎に硬貨収納部に収納するものである。また硬貨処理装置２０は、返却レバー１１ｂが操作された場合には、硬貨投入口１１ａより投入されて一時的に保留する硬貨を硬貨返却口１１ｃに返却するものである。
【００２２】
カップ機構部３０は、カップ収納部３１とカップシュータ３２とを有している。カップ収納部３１は、カップを積み重ねた状態で収納するものである。また、このカップ収納部３１には、図示しないカップ払出機構が設けられている。カップ払出機構は、払出指令が与えられた場合に、積み重ねた状態で収納されるカップのうち最下位のカップを下方に払い出すものである。
【００２３】
カップシュータ３２は、カップ収納部３１の下部において取り付けられるとともに、シュータ保持部材３３により保持されている。このカップシュータ３２は、カップ収納部３１から払い出されたカップを下方に向けて搬出するものである。
【００２４】
このようなカップ機構部３０は、互いに高さレベルが異なる態様で設けられた左右一対のレール機構３４により前後方向に沿ってスライド可能に支持されている。そして、カップ機構部３０は、前方にスライドして、図３及び図４に示すような収納位置に配置される場合には、カップシュータ３２が硬貨処理装置２０よりも前方側に位置しており、硬貨処理装置２０の左方側にスペースＳを形成している。
【００２５】
尚、図４中の符号３５は、ロック機構部である。このロック機構部３５は、ロック状態となる場合にはカップ機構部３０を収納位置に保持するものであり、ロック解除状態となる場合には、カップ機構部３０が収納位置から後方に向けてスライドすることを許容するものである。
【００２６】
上記カップ機構部３０は、ロック機構部３５がロック解除状態にされるとともに後面扉１３が後方に向けて揺動されて後面開口１０ｂが開放された場合に、図５に示すように、後面開口１０ｂを通じて後方に向けてスライドして装置本体１０の外部となる補充位置まで移動することができる。
【００２７】
カップ機構部３０が補充位置に配置される場合には、カップ収納部３１の上方が開放されるので、カップ収納部３１にカップを補充することが可能になる。
【００２８】
ベンドステージ４０は、図３に示すように、取出口１２ｃの後方側であって、収納位置に配置されるカップ機構部３０のカップシュータ３２の下端開口３２ａの下方域に設けられている。
【００２９】
図６及び図７は、それぞれ図３に示したベンドステージを示すものであり、図６は斜視図であり、図７は平面図である。このベンドステージ４０は、底面部４１と支持壁部４２とを備えて構成されている。
【００３０】
底面部４１は、カップを載置させるためのものであり、後方に向かうに連れて、すなわち取出口１２ｃから離隔するに連れて漸次下方に傾斜している。
【００３１】
支持壁部４２は、上記底面部４１の上面の垂直方向に沿って延在する態様で底面部４１に立設され、かつ該底面部４１に載置されたカップを支持するためのもので、後壁部４２１、左壁部４２２及び右壁部４２３を有している。
【００３２】
後壁部４２１は、底面部４１の後方部分に立設された部分であり、前面が湾曲する中央部４２１ａと、中央部４２１ａの左端部分に連続し、前面が左方に向かうに連れて漸次前方に直線状に傾斜する左端部４２１ｂと、中央部４２１ａの右端部分に連続し、前面が右方に向かうに連れて漸次前方に直線状に傾斜する右端部４２１ｃとが一体的に形成されて構成されている。
【００３３】
左壁部４２２は、底面部４１の左側部分に立設され、かつ後壁部４２１の左端部４２１ｂに連続している。この左壁部４２２の右面は、後壁部４２１における左端部４２１ｂの前面に連続している。
【００３４】
右壁部４２３は、底面部４１の右側部分に立設され、かつ後壁部４２１の右端部４２１ｃに連続している。この右壁部４２３の左面は、後壁部４２１における右端部４２１ｃの前面に連続している。
【００３５】
このようなベンドステージ４０の上方にはガイドカバー５０が設けられている。ガイドカバー５０は、ベンドステージ４０の上方域を覆う態様で設けられており、上面に円形状のカップ通過口５１が形成されている。また、かかる上面におけるカップ通過口５１の前方側及び左右両側には、上方から見た場合にコ字状をなすガイドバー５２が上方に突出する態様で設けられている。このガイドバー５２は、カップ機構部３０が収納位置に配置される場合に、カップシュータ３２の下端部に当接して、カップ通過口５１の上方にカップシュータ３２の下端開口３２ａが配置されるようにしている。
【００３６】
上記装置本体１０の上側壁部には、補充開口１４が形成されている。補充開口１４は、補充扉１５により開放若しくは閉塞される開口であり、収納位置に配置されるカップ機構部３０のカップ収納部３１に対向可能な領域に形成されている。
【００３７】
以上のような構成を有するカップ販売装置においては、装置本体１０の前面開口１０ａ及び後面開口１０ｂが閉塞された状態において、硬貨投入口１１ａを通じて所定の硬貨（金銭）が投入されて操作ボタン１２ａが押下操作されると、カップ収納部３１から払い出されたカップがカップシュータ３２によりベンドステージ４０に搬出される。これにより、取出扉１２ｄを揺動させて取出口１２ｃが開成されることにより、該取出口１２ｃを通じてベンドステージ４０に搬出されたカップを取り出し可能にさせて該カップの販売を行うことができる。
【００３８】
そして、上記カップ販売装置によれば、ベンドステージ４０の底面部４１が後方に向かうに連れて下方に傾斜し、この底面部４１に立設された支持壁部４２が該底面部４１に載置されたカップＣ（図６参照）を、後壁部４２１の左端部４２１ｂの前面と、該後壁部４２１の右端部４２１ｃの前面とが該カップＣの側面に接して、起立姿勢にて支持するので、カップＣは、上面開口Ｃ１が後方に傾斜した起立姿勢に維持される。これにより、取出口１２ｃより挿入された手指にてカップＣの側面Ｃ２を把持することができ、利用者は、該カップＣを容易に取り出すことができる。従って、ベンドステージ４０に搬出されたカップＣを良好に取り出させることができる。
【００３９】
また、支持壁部４２における後壁部４２１の左端部４２１ｂの前面と右端部４２１ｃの前面とでカップＣの側面に接するので、直線状に傾斜する傾斜面でカップに接していることとなり、様々な大きさのカップを良好に支持することができる。
【００４０】
上記カップ販売装置によれば、カップ機構部３０が収納位置に配置される場合、硬貨処理装置２０の左方側にスペースＳを形成しているので、管理者等は、装置本体１０の後面開口１０ｂを開放させた状態で硬貨処理装置２０の硬貨収納部を開放して該硬貨収納部に収納された硬貨を取り出す作業を容易に行うことができる。
【００４１】
上記カップ販売装置によれば、ガイドカバー５０のガイドバー５２が、カップ機構部３０が収納位置に配置される場合に、カップシュータ３２の下端部に当接して、カップ通過口５１の上方にカップシュータ３２の下端開口３２ａが配置されるようにしているので、ベンドステージ４０に対するカップシュータ３２の位置決めを容易に行うことができ、カップ機構部３０から払い出されたカップをベンドステージ４０に確実に搬出することができる。
【００４２】
上記カップ販売装置によれば、装置本体１０の上側壁部における収納位置に配置されるカップ機構部３０のカップ収納部３１に対向可能な領域に補充開口１４が形成されているので、補充扉１５を揺動させて補充開口１４が開放されることにより、該補充開口１４を通じてカップの補充を容易に行うことができる。
【００４３】
以上、本発明の好適な実施の形態について詳細に説明したが、本発明はこれに限定されるものではなく、種々の変更を行うことができる。
【００４４】
上述した実施の形態では、取出口１２ｃは前面扉１２に設けられていたが、本発明においては、取出口は、カップ販売装置の接客面に設けられていれば、必ずしも前面扉に設けられている必要はない。従って、ベンドステージも取出口の後方に設けられていなくてもよい。
【符号の説明】
【００４５】
１０  装置本体
１０ａ  前面開口
１０ｂ  後面開口
１１  前面閉塞部
１１ａ  硬貨投入口
１１ｂ  返却レバー
１１ｃ  硬貨返却口
１２  前面扉
１２ａ  操作ボタン
１２ｂ  表示部
１２ｃ  取出口
１２ｄ  取出扉
１３  後面扉
１４  補充開口
１５  補充扉
２０  硬貨処理装置
３０  カップ機構部
３１  カップ収納部
３２  カップシュータ
３２ａ  下端開口
３４  レール機構
４０  ベンドステージ
４１  底面部
４２  支持壁部
４２１  後壁部
４２２  左壁部
４２３  右壁部
５０  ガイドカバー
５１  カップ通過口
５２  ガイドバー
Ｃ  カップ
Ｓ  スペース
【図１】
2018018387.tif 000003
【図２】
2018018387.tif 000004
【図３】
2018018387.tif 000005
【図４】
2018018387.tif 000006
【図５】
2018018387.tif 000007
【図６】
2018018387.tif 000008
【図７】
2018018387.tif 000009